(57)【特許請求の範囲】
【請求項１】
Ｈ型鋼から成る梁（４）の下位水平部（４ａ）の下方に複数の屋根材（６）を互いの対向する側部を合接した状態で平面状に展開配置し、各屋根材（６）の合接部を梁（４）の下位水平部（４ａ）に取付金具（１２）（２６）を介して連結するようにした屋根材取付装置において、前記各屋根材（６）を長尺状の帯状部（６ａ）と、該帯状部（６ａ）の両側に該帯状部（６ａ）に対して直角に屈折された立ち上り部（６ｂ）（６ｃ）と、該立ち上り部（６ｂ）（６ｃ）の上端に形成された筒型の嵌合部（１０）（８）（１８）（２０）とを備えた金属パネルにより構成し、前記取付金具（１２）（２６）を、前記梁（４）の下位水平部（４ａ）に脱着自在なＵ字状部を有する取付係合部（１２ａ）（２６ａ）と、該取付係合部（１２ａ）（２６ａ）の下面に一体的に固設された前記筒型の嵌合部（１０）（８）（１８）（２０）のでっぱりを避けるためのあご部（１２ｃ）（２４ａ）（２６ｅ）と、該あご部（１２ｃ）（２４ａ）（２６ｅ）に一体的に固設された垂直部（１２ｄ）（２６ｆ）とで構成し、隣接する一対の屋根材（６）（６）のうち一方の屋根材（６）の一方の立ち上り部（６ｃ）の筒型嵌合部（８）（１８）と他方の屋根材（６）の他方の立ち上り部（６ｂ）の筒型嵌合部（１０）（２０）とを互いに嵌合連結するとともに、一対の互いに隣接する屋根材（６）（６）の立ち上り部（６ｃ）（６ｂ）を合接し、該合接する立ち上り部（６ｃ）（６ｂ）を前記梁（４）の下位水平部（４ａ）の所定位置に取り付けた前記取付金具（１２）（２６）の垂直部（１２ｄ）（２６ｆ）にねじ（１４）により固定するようにしたことを特徴とする屋根材取付装置。
【請求項２】
前記筒型嵌合部（１０）（８）の断面形状を一部が開放された四角形としたことを特徴とする請求項１に記載の屋根材取付装置。
【請求項３】
前記筒型嵌合部（１８）（２０）の断面形状を一部が開放された円形としたことを特徴とする請求項１に記載の屋根材取付装置。
【請求項４】
各屋根材（６）の両側部の少なくとも一方の筒型嵌合部（１８）に凹入部（２２）を設け、この筒型嵌合部（１８）に嵌合する他の屋根材（６）の他方の筒型嵌合部（２０）との間に雨水の毛細管浸入現象を遮断するための隙間Ｇを形成するようにしたことを特徴とする請求項１に記載の屋根材取付装置。
【発明の詳細な説明】
【０００１】
【産業上の利用分野】
本発明は、Ｈ型鋼から成る梁に帯状の金属板から成る複数の屋根材を取り付けるための屋根材取付装置に関する。
【０００２】
【従来の技術】
Ｈ型鋼から成る梁に帯状の金属板から成る複数の屋根材を取付金具を介して取付ける屋根材取付装置は、特開平５−２０９４４９号公報、実用新案登録第３００８３８０号公報に開示されている。
これらの装置は、隣接する屋根材の立ち上り部が互いに合接し、各立ち上り部の上部に形成されたコ字状或いはＬ字状の屈折部が互いに合接している。
互いに合接する立ち上り部は、梁に取り付けられた取付金具の垂直部にねじにより固定されている。
【０００３】
【発明が解決しようとする課題】
上記従来装置はいづれも、屋根材立ち上り部の、取付金具との固着部以外は隣接する屋根材の立ち上り部は単に重ねてあるだけであり、屋根材に雪が積もったり或いは人が乗って大きな重量がかかった場合にこれに耐える充分な強度が得られなかった。
本発明の第１の目的は、強度の優れたＨ型鋼梁用屋根材取付装置を提供することである。
本発明の他の目的は、屋根材の合接部から毛細管現象によって雨水が浸入しないようにすることである。
【０００４】
【問題点を解決する手段】
上記目的を達成するため、本発明は、Ｈ型鋼から成る梁４の下位水平部４ａの下方に複数の屋根材６を互いの対向する側部を合接した状態で平面状に展開配置し、各屋根材６の合接部を梁４の下位水平部４ａに取付金具１２，２６を介して連結するようにした屋根材取付装置において、前記各屋根材６を長尺状の帯状部６ａと、該帯状部６ａの両側に該帯状部６ａに対して直角に屈折された立ち上り部６ｂ，６ｃと、該立ち上り部６ｂ，６ｃの上端に形成された筒型の嵌合部１０，８，１８，２０とを備えた金属パネルにより構成し、前記取付金具１２，２６を、前記梁４の下位水平部４ａに脱着自在なＵ字状部を有する取付係合部１２ａ，２６ａと、該取付係合部１２ａ，２６ａの下面に一体的に固設された前記筒型の嵌合部１０，８，１８，２０のでっぱりを避けるためのあご部１２ｃ，２４ａ，２６ｅと、該あご部１２ｃ，２４ａ，２６ｅに一体的に固設された垂直部１２ｄ，２６ｆとで構成し、隣接する一対の屋根材６，６のうち一方の屋根材６の一方の立ち上り部６ｃの筒型嵌合部８，１８と他方の屋根材６の他方の立ち上り部６ｂの筒型嵌合部１０，２０とを互いに嵌合連結するとともに、一対の互いに隣接する屋根材６，６の立ち上り部６ｃ，６ｂを合接し、該合接する立ち上り部６ｃ，６ｂを前記梁４の下位水平部４ａの所定位置に取り付けた前記取付金具１２，２６の垂直部１２ｄ，２６ｆにねじ１４により固定するように成し、各屋根材６の両側部の少なくとも一方の筒型嵌合部１８に凹入部２２を設け、この筒型嵌合部１８に嵌合する他の屋根材６の他方の筒型嵌合部２０との間に雨水の毛細管浸入現象を遮断するための隙間Ｇを形成するようにしたものである。
【０００５】
【作用】
互いに隣接する屋根板６，６は、筒型嵌合部８，１０，１８，２０を介して嵌合結合するため連結部に大きな強度を得ることができ、しかも凹入部２２によって、屋根板６，６の内側への雨水の毛細管現象による浸入を防止することができる。
【０００６】
【実施例】
以下に本発明の構成を添付図面に示す実施例を参照して詳細に説明する。
図４において、２はＨ型鋼から成る大梁であり、これに直角関係を存して、Ｈ型鋼から成る小梁４が固設されている。６は帯状の弾力性のある金属板から成る屋根材であり、前記小梁４の下方に複数隣接配置されている。
【０００７】
前記屋根材６の各々の両側部には、屋根材６の帯状部６ａに対して直角に、立ち上り部６ｂ，６ｃが屈折形成されている。前記屋根材６は、前記帯状部６ａと立ち上り部６ｂ，６ｃとによって、全体の横断面形状が略横向きのコ字状に形成されている。前記屋根材６の右側の立ち上り部６ｃの上部には、該立ち上り部６ｃの図３中紙面垂直方向の長手方向に延びる四角筒状の嵌合部８が屈折形成されている。
【０００８】
前記嵌合部８は、前記立ち上り部６ｃの上端に接し、屋根材６の帯状部６ａの内側に向けてこれに対して水平に屈折された底壁部８ａと、該底壁部８ａに接し、これに対して直角な側壁部８ａと、該側壁部８ｂに接し、これに対して直角な天壁部８ｃと、該天壁部８ｃに接し、これに対して直角な側壁部８ｄとから構成され、前記側壁部８ｄの下縁は前記立ち上り部６ｃの上端と略同一高さに設定され、該側壁部８ｄの下縁と立ち上り部６ｃの上端との間には、前記底壁部８ａの幅と略同一幅の空間部から成る開放部が形成されている。
前記嵌合部８は上記構成によって長手方向の両端が開放され、周壁の一部が開放された角筒を構成している。
【０００９】
前記屋根材６の左側の立ち上り部６ｂの上部には、該立ち上り部６ｂの長手方向に延びる四角筒状の嵌合部１０が屈折形成されている。前記嵌合部１０は、前記立ち上り部６ｂの上端に接し、屋根材６の帯状部６ａの内側に向けてこれに対して水平に屈折された底壁部１０ａと、該底壁部１０ａに接し、これに対して直角な側壁部１０ｂと、該側壁部１０ｂに接し、これに対して直角な天壁部１０ｃと、該天壁部１０ｃに接し、これに対して直角な側壁部１０ｄとから構成されている。
【００１０】
前記側壁部１０ｄの下縁は前記立ち上り部６ｂの上端と略同一高さに設定され、該側壁部１０ｄの下縁と立ち上り部６ｂの上端との間には、前記底壁部１０ａの幅と略同一幅の空間部から成る開放部が形成されている。前記嵌合部８，１０は互いに密嵌可能なように略同一寸法の対称形状に設定されている。
【００１１】
１２は取付金具であり、図４に示すように小梁４の下位水平部４ａに脱着自在に圧嵌可能な横Ｕ字状の取付係合部１２ａと、該取付係合部１２ａの下面に一体的な取付片１２ｂとから構成され、該取付片１２ｂは、Ｌ型に屈折されたあご部１２ｃと垂直部１２ｄとから構成されている。前記あご部１２ｃは、前記嵌合部８，１０のでっぱりを避けるための逃げを構成している。
【００１２】
前記立ち上り部６ｂ，６ｃ及び取付片１２ｂの垂直部１２ｂにはボルト挿入用の穴が透設されている。
次に本実施例の作用について説明する。
一対の屋根材６を隣接配置し、一方の屋根材６Ａの立ち上り部６ｃを、他方の屋根材６Ｂの立ち上り部６Ｂに互いのボルト挿入穴を一致させて合接するとともに、一方の屋根材６Ａの嵌合部８の外側に他方の屋根材６Ｂの嵌合部１０を密嵌させる。
【００１３】
互いに接合させた一対の屋根材６Ａ，６Ｂを小梁４の下方にこれに対して直角に配置する。次に取付金具１２の取付係合部１２ａを、小梁４の下位水平部４ａに圧入嵌合する。この時、取付片１２ｂのあご部１２ｃに、対応する嵌合部１０，８のでっぱりを配置し、且つ、取付片１２ｂの垂直部１２ｄのボルト挿入穴を屋根材６，６の立ち上り部６ｃ，６ｂのボルト挿入穴に合わせる。
【００１４】
次に、屋根材６，６の立ち上り部６ｃ，６ｂのボルト挿入穴及び取付金具１２の垂直部１２ｄのボルト挿入穴にボルト１４を挿入し、ナット１６をボルト１４に捩じ込んで、一対の屋根材６Ａ，６Ｂの立ち上り部６ｃ，６ｂを、取付金具１２の垂直部１２ｄに固定する。屋根材６，６の立ち上り部６ｃ，６ｂを取付金具１２の垂直部１２ｄにボルト１４によって固定する作業は、垂直部１２ｄのボルト挿入穴形成部分が、図１に示すように、小梁４の直下から側方にずれているため、小梁４が作業の邪魔になることがなく容易に行うことができる。
【００１５】
上記のように屋根材６の一方の立ち上り部６ｃには、他の屋根材６の他方の立ち上り部６ｂを、互いの嵌合部８，１０を嵌合させて、順次、図２に示す如く、横方向に接合し、この接合部を、取付金具１２を介して小梁４に取り付ける。
上記実施例は、図３に示すように、屋根材６の一方の嵌合部８の外側に、隣接する屋根材６の他方の嵌合部１０を嵌合させているが、図５に示すように、屋根材６の一方の嵌合部８'の内側に隣接する屋根材６の他方の嵌合部１０'を嵌合させるようにしても良い。
【００１６】
又、嵌合部８，１０の筒形状は、四角筒型に限定されるものではなく、図６，７に示すように側壁の一部（Ｐ）が長手方向に沿って開放された円筒形の嵌合部１８，２０としても良い。円筒形の嵌合部１８，２０を、互いに嵌合したとき、屋根板６，６の接合部に大きな強度が得られる。
互いに嵌合する円筒型の嵌合部１８，２０のうちの一方の嵌合部１８には、図７に示すように凹入部２２が長手方向全長に形成されている。
【００１７】
この凹入部２２は、互いに嵌合する筒型嵌合部１８，２０間に隙間Ｇを形成し、この隙間によって雨水の毛細管現象による浸入を遮断し、屋根板６の内側に雨水が浸入するのを防止している。図６，７の実施例において、取付金具２４のあご部２４ａは、円筒状の嵌合部１８，２０に対応してわん曲形状に形成されている。  他の構成は、図１に示す実施例と同一であり、その説明を省略する。
次に他の実施例を図８乃至図１０を参照して説明する。
【００１８】
本実施例において、梁４及び屋根板６の形状は、図１に示す屋根板６の形状と同一であり、対応する部分には同一の符号を付してある。
２６は取付金具であり、Ｕ帯状のスライド片から成る取付係合部２６ａとその下面に一体的に固設された板状の取付片２６ｂとを備えている。前記取付係合部２６ａの両端部にはＵ字状の一対のスライド遊嵌部２６ｃ，２６ｄが形成され、該遊嵌部２６ｃ，２６ｄの上位水平部にねじ穴が透設されている。
【００１９】
前記遊嵌部２６ｃ，２６ｄのねじ穴にボルトから成る締付軸２８が螺合している。前記取付片２６ｂは、Ｌ型に屈折されたあご部２６ｅと、垂直部２６ｆとから構成され、該垂直部２６ｆにボルト挿入穴が透設されている。
次に本実施例の作用について説明する。
まず、小梁４の下位水平部４ａの両側に所要数の取付金具２６の遊嵌部２６ｃ，２６ｄをスライド自在に嵌合しておく。
【００２０】
また、一対の屋根材６，６を隣接配置し、一方の屋根材６Ａの嵌合部８に他方の屋根材６Ｂの嵌合部１０を被嵌し、一方の屋根材６Ａの立ち上り部６ｃを、他方の屋根材６Ｂの立ち上り部６ｂに、互いのボルト挿入孔を一致させて当接させる。次に、互いに接合させた一対の屋根材６Ａ，６Ｂを小梁４の下方にこれに対して直角に配置する。次に取付金具２６を、小梁４の下位水平部４ａに沿って移動調整して、取付片２６ｂの垂直部２６ｆのボルト挿入孔を屋根材６Ａ，６Ｂの立ち上り部６ｃ，６ｂのボルト挿入孔に合わせる。
【００２１】
次に、立ち上り部６ｃ，６ｂのボルト挿入孔からボルト３０を挿入し、該ボルト３０にナット３２をねじ込む。これにより、一対の屋根材６Ａ，６Ｂの互いの合接部がボルト３０により締付け固定されるとともに、一対の屋根材６Ａ，６Ｂは、取付金具２６の取付片２６ｂに締付け固定される。屋根材６Ａ，６Ｂを、取付金具２６に固定した後は、ボルト２８を締付けて、取付金具２６を小梁４の下位水平部４ａに固定する。上記のように屋根材６の一方の立ち上り部６ｃには、他の屋根材６の他方の立ち上り部６ｂを互いの嵌合部８，１０を嵌合させて、順次、図８に示す如く横方向に接合し、この接合部を取付金具２６を介して、小梁４に固定する。
【００２２】
尚、図３、図５、図６、図７、図８、図１０において、互いに嵌合する筒型嵌合部間に隙間が形成され遊嵌状態となっているが、これは、嵌合部の嵌合状態を明瞭に図示表現する為の便宜状のものであって、実際は、隙間Ｇ以外の部分の嵌合部は互いに密着している。又、雨水毛細管現象防止のための凹入部２６は、断面略円形の円筒型の嵌合部１８，２０に設けることに限定されるものでなく、四角型の角筒型嵌合部８，１０間に形成するようにしても良い。
【００２３】
【効果】
本発明は上述の如く構成したので、屋根板の結合部に大きな強度を得ることが出来るとともに雨漏りを防止することが出来る効果が存する。
【図面の簡単な説明】
【図１】本件発明の要部の外観図である。
【図２】本件発明の外観図である。
【図３】本件発明の断面図である。
【図４】本件発明の側面図である。
【図５】本件発明の要部の断面図である。
【図６】本件発明の他の実施例を示す外観図である。
【図７】図６に示す本件発明の他の実施例の断面図である。
【図８】本件発明の他の実施例を示す外観図である。
【図９】図８に示す本件発明の他の実施例の側面図である。
【図１０】図８に示す本件発明の他の実施例の断面図である。
【符号の説明】
２      大梁
４      小梁
６      屋根材
６ａ    帯状部
６ｂ    立ち上り部
６ｃ    立ち上り部
８      嵌合部
８ａ    底壁部
８ｂ    側壁部
８ｃ    天壁
８ｄ    側壁部
１０    嵌合部
１０ａ  底壁部
１０ｂ  側壁部
１０ｃ  天壁
１０ｄ  側壁部
１２    取付金具
１２ａ  取付係合部
１２ｂ  取付片
１２ｃ  あご部
１２ｄ  垂直部
１４    ボルト
１６    ナット
１８    嵌合部
２０    嵌合部
２２    凹入部
２４    取付金具
２４ａ  あご部
２６    取付金具
２６ａ  取付係合部
２６ｂ  取付片
２６ｃ  遊嵌部
２６ｄ  遊嵌部
２６ｅ  あご部
２６ｆ  垂直部
２８    締付軸
３０    ボルト
３２    ナット
【図１】
0003548859.tif 000002
【図２】
0003548859.tif 000003
【図３】
0003548859.tif 000004
【図４】
0003548859.tif 000005
【図５】
0003548859.tif 000006
【図６】
0003548859.tif 000007
【図７】
0003548859.tif 000008
【図８】
0003548859.tif 000009
【図９】
0003548859.tif 000010
【図１０】
0003548859.tif 000011